(57)【要約】【目的】パケットロスを回避する無線ＬＡＮシステムにおけるローミング方式の提供。【構成】ＬＡＮケーブルにスイッチングハブを介し複数のアクセスポイントを接続し、前記アクセスポイントと複数の無線端末とが無線接続を行う無線ＬＡＮシステムにおいて、前記スイッチングハブには前記スイッチングハブ各々のアクセスポイントに対応するポートに対応して無線接続している無線端末のＭＡＣアドレスを記憶するＭＡＣ管理テーブルを備え、ローミングしてきた無線端末と通信開始した第２のアクセスポイントが当該無線端末の代理でＡＲＰパケットを無線端末が通信していた相手に送り、その相手からの応答により前記スイッチングハブのＭＡＣ管理テーブルにおいて以前使用していたアクセスポイントに対応する前記スイッチングハブのポート対応部分から当該無線端末のＭＡＣアドレスが削除される無線ＬＡＮシステムにおけるローミング方式。【選択図】図１
2004304570.tif 000002
【特許請求の範囲】
【請求項１】
ＬＡＮケーブルにスイッチングハブを介し複数のアクセスポイントを接続し、前記アクセスポイントと複数の無線端末とが無線接続を行う無線ＬＡＮシステムにおいて、前記スイッチングハブには前記スイッチングハブ各々のポートに対応して無線接続している無線端末のＭＡＣアドレスを記憶するＭＡＣ管理テーブルを備え、第１のアクセスポイントを介しデータ通信中の無線端末が移動し第２のアクセスポイントに接続開始すると、第２のアクセスポイントが当該無線端末の代理でＡＲＰパケットを無線端末が通信していた相手に送り、その相手からの応答により前記スイッチングハブのＭＡＣ管理テーブルにおいて第１のアクセスポイントに対応する前記スイッチングハブのポート対応部分から当該無線端末のＭＡＣアドレスが削除されることを特徴とした無線ＬＡＮシステムにおけるローミング方式。
【発明の詳細な説明】
【０００１】
【発明の属する技術分野】本発明はＩＥＥＥ８０２．１１に準拠する無線ＬＡＮシステムにおいて、無線端末が現在無線接続されているアクセスポイントから移動して新たなアクセスポイントと無線接続する無線ＬＡＮシステムにおけるローミング方式に関する。
【０００２】
【従来の技術】現在の無線ＬＡＮにおける無線端末のローミングは、各無線端末が同一のＥＳＳＩＤを持っているアクセスポイントに対して行い、新たなアクセスポイントとの無線接続が可能になると、そのまま無線通信を継続していた。
【０００３】
【発明が解決しようとする課題】しかし上記のように、複数台のアクセスポイントをスイッチングハブ配下にて接続する構成とした場合、無線端末のＭＡＣアドレスは、接続したアクセスポイントが接続されているスイッチングハブのポートに対応して記憶される。そのため、データ通信中に無線端末がローミングを行うと通信していた相手からのパケットが従来接続していたアクセスポイント側のポートに転送されるため通信中の相手からのパケットがロスしてしまう。
【０００４】本発明の目的は、この従来の欠点を解消した無線ＬＡＮシステムにおけるローミング方式を提供することにある。
【０００５】
【課題を解決するための手段】この目的を達成するため、本発明の構成を以下のようにした。
ＬＡＮケーブルにスイッチングハブを介し複数のアクセスポイントを接続し、前記アクセスポイントと複数の無線端末とが無線接続を行う無線ＬＡＮシステムにおいて、前記スイッチングハブには前記スイッチングハブ各々のポートに対応して無線接続している無線端末のＭＡＣアドレスを記憶するＭＡＣ管理テーブルを備え、第１のアクセスポイントを介しデータ通信中の無線端末が移動し第２のアクセスポイントに接続開始すると、第２のアクセスポイントが当該無線端末の代理でＡＲＰパケットを無線端末が通信していた相手に送り、その相手からの応答により前記スイッチングハブのＭＡＣ管理テーブルにおいて第１のアクセスポイントに対応する前記スイッチングハブのポート対応部分から当該無線端末のＭＡＣアドレスが削除される無線ＬＡＮシステムにおけるローミング方式。
【０００６】
【発明の実施の形態】図１は本発明の実施例である無線ＬＡＮシステムである。図２はアクセスポイントの構成図である。図３はスイッチングハブに備えるポート対応のＭＡＣ管理テーブルを示す図である。
【０００７】１はＷＥＢ、２はスイッチングハブ、２１，２２，２３，２４はアクセスポイントに対応するスイッチングハブ２のポート、２５はＬＡＮケーブル６と上記ポート又はポート同士の接続制御他を行う制御部、２６はＭＡＣ管理テーブルである。３１，３２，３３はアクセスポイント、４１、４２，４３はアクセスポイント各々のサービスエリア、５は一台の無線端末、６はＬＡＮケーブルである。アクセスポイント３１、３２，３３は同一構成であるため代表としてアクセスポイント３１で構成を説明する。３１１はアクセスポイント３１の有線送受信部、３１２はＡＲＰパケットを送出する等制御を行う制御部、３１３は無線送受信部、３１４は記億部、３１５は無線子機と通信を行うアンテナである。
【０００８】
まず、無線端末５がＷＥＢ１に接続される動作を説明する。図１において、アクセスポイント３１、３２、３３は同一のＥＳＳＩＤが設定されているものとする。
無線端末５は、アクセスポイント３１のビーコン信号を受け接続要求を行う。するとスイッチングハブ２のポート２１に接続されているアクセスポイント３１から制御部２５によりＬＡＮケーブル６を介しＷＥＢ１に接続される。そして、制御部２５は図３に示すＭＡＣア管理テーブル２６に、スイッチングハブのポートに対応して無線子機のＭＡＣアドレスを記憶する。そのことで通信先からのパケットが制御部２５の制御によりＭＡＣア管理テーブルから行き先であるアクセスポイント３１及び無線端末５まで到達することができる。このようにして、無線端末５はＷＥＢ１を介した相手又は他のアクセスポイントを介した無線端末に接続することができる。
【０００９】
次にローミングについて説明を行う。無線端末５がアクセスポイント３１を介しＷＥＢ１を介しデータ通信を行っていたときにアクセスポイント３２のサービスエリアへ移動したとする。無線端末５はアクセスポイント３２に接続要求のパケットを送る。するとアクセスポイント３２は、無線端末５からの通信相手先情報を得て、無線端末５の代理としてＡＲＰパケットを送り出す。するとスイッチングハブのポート２２から無線端末５のＷＥＢ１を介した通信相手にパケットが届けられる。通信相手が応答しパケットを送り返してくると、ＬＡＮケーブル６を介してスイッチングハブ２の制御部２５がこれを受けＭＡＣ管理テーブル１６からアクセスポイント３１すなわちスイッチングハブのポート２１に対応する無線端末５のＭＡＣアドレスを消去する。そしてスイッチングハブ２の制御部２５は、ＭＡＣ管理テーブル２６にアクセスポイント３２すなわちスイッチングハブのポート対応に無線端末５のＭＡＣアドレスを記憶する。その結果、無線端末５のＭＡＣアドレスはＭＡＣ管理テーブル２６においてアクセスポイント３１対応のポート２１に存在せず、アクセスポイント３２対応のポート２２にのみ存在するようになる。そのため無線端末５に到来するパッケトのロスが発生することはない。
【００１０】
【発明の効果】以上のように、スイッチングハブにはＭＡＣアドレスの学習機能があるため、ＭＡＣ管理テーブルがリフレッシュされる。そのためパケットロスを回避することができる。
【図面の簡単な説明】
【図１】本発明の実施例である無線ＬＡＮシステム
【図２】アクセスポイントの構成図
【図３】スイッチングハブに備えるＭＡＣ管理テーブルを示す図
【符号の説明】
１  ＷＥＢ
２  スイッチングハブ
２１、２２、２３、２４  スイッチングハブのポート
２５  制御部
２６  ＭＡＣ管理テーブル
３１、３２、３３  アクセスポイント
４１、４２、４３  サービスエリア
５  無線端末
６  ＬＡＮケーブル
３１１  有線送受信部
３１２  制御部
３１３  無線送受信部
３１４  記億部
３１５  アンテナ
【図１】
2004304570.tif 000003
【図２】
2004304570.tif 000004
【図３】
2004304570.tif 000005